(57)【要約】【課題】  消費電力の節減という効果を確実に維持できる上に、バックライトが突然消灯してしまうという不便を解消できる携帯端末装置を提供する。【解決手段】  携帯端末装置に内蔵されている制御部が、筐体の内部における筐体のケースの近傍であって筐体の背面側の中央部に設置されている温度センサ２１の検出信号にもとづいて、使用者が携帯電話機を手に持ったとき、および携帯電話機を手放したときの筐体の温度変化を検出する。制御部は、使用者が携帯電話機を手に持ったときに自動的に液晶表示パネル３およびバックライト４，１２を点灯し、使用者が携帯電話機を手放したときに自動的に液晶表示パネル３およびバックライト４，１２を消灯する。【選択図】  図１
2006091222.tif 000002
【特許請求の範囲】
【請求項１】
バックライトが付随する表示装置を備えた携帯端末装置において、
筐体の温度の変化を検出する温度検出手段と、
前記温度検出手段の検出信号にもとづいて筐体の温度変化を検出した場合に前記バックライトを点灯させ、前記温度検出手段の検出信号にもとづいて前記温度変化と逆方向の温度変化を検出した場合に前記バックライトを消灯させる点灯制御手段とを備えた
ことを特徴とする携帯端末装置。
【請求項２】
温度検出手段としての温度検出素子が、筐体の内部における筐体のケースの近傍であって、筐体の背面側の中央部に設置されている
請求項１記載の携帯端末装置。
【請求項３】
点灯制御手段は、温度検出手段の検出信号にもとづいて筐体の温度変化を検出した場合に表示装置を点灯状態にさせ、前記温度検出手段の検出信号にもとづいて前記温度変化と逆方向の温度変化を検出した場合に前記表示装置を消灯状態にさせる
請求項１または請求項２記載の携帯端末装置。
【請求項４】
複数の温度検出素子が設けられ、
点灯制御手段は、１つ以上の前記温度検出素子の検出信号にもとづいて筐体の温度変化を検出した場合にバックライトを点灯させ、１つ以上の前記温度検出素子の検出信号にもとづいて前記温度変化と逆方向の温度変化を検出した場合に前記バックライトを消灯させる
請求項１から請求項３のうちのいずれか１項に記載の携帯端末装置。
【請求項５】
温度検出手段は、比較用の温度検出素子を含み、
点灯制御手段は、温度検出素子の検出信号が示す温度と前記比較用の温度検出素子の検出信号が示す温度との差にもとづいて温度変化を検出する
請求項１から請求項４のうちのいずれか１項に記載の携帯端末装置。
【請求項６】
温度検出手段は、第１の温度検出手段と第２の温度検出手段とを含み、
点灯制御手段は、
前記第１の温度検出手段の検出信号にもとづいて筐体の温度変化を検出した場合に前記バックライトを点灯させ、前記第１の温度検出手段の検出信号にもとづいて前記温度変化と逆方向の温度変化を検出した場合に前記バックライトを消灯させ、
前記第２の温度検出手段の検出信号にもとづいて筐体の温度変化を検出した場合に表示装置を点灯状態にさせ、前記第２の温度検出手段の検出信号にもとづいて前記温度変化と逆方向の温度変化を検出した場合に前記表示装置を消灯状態にさせる
請求項１または請求項２記載の携帯端末装置。
【請求項７】
バックライトが付随する表示装置を備えた携帯端末装置における該バックライトおよび表示装置の点灯および消灯の制御を行う表示装置制御方法であって、
筐体の温度の変化を検出し、
筐体の温度変化を検出した場合に前記バックライトおよび表示装置を点灯させ、
前記温度変化と逆方向の温度変化を検出した場合に前記バックライトおよび表示装置を消灯させる
ことを特徴とする表示装置制御方法。
【発明の詳細な説明】
【技術分野】
【０００１】
本発明は、液晶表示パネルを含む表示部を備えた携帯電話機などの携帯端末装置、および携帯端末装置に備えられている液晶表示パネルや液晶表示パネルに付随するバックライトの点灯および消灯を制御する表示装置制御方法に関する。
【背景技術】
【０００２】
携帯電話機は、操作時や着信時に、相手電話番号や電子メールの本文などを表示する表示部を有する。表示部として、バックライトで照光される透過型の液晶表示パネルが用いられることが多い。バックライトの消費電力は比較的高いので、消費電力節減のために、また、液晶表示パネルの焼き付き防止等の理由により、一般に、バックライトが点灯開始されてから、所定時間以上キー操作がなされなかった場合には、バックライトは消灯される（例えば、特許文献１，２参照。）。
【０００３】
すると、例えば携帯電話機の使用者が液晶表示パネルに電子メールの本文を表示させてそれを読んでいるときに、所定時間以上キー操作がなされなかったことに起因して、突然、バックライトが消灯する状況が発生する。そのような状況が発生したのでは、携帯電話機の使用者にとってはなはだ不便である。そこで、消費電力の節減という効果を維持しつつ、使用者の不便を解消するための仕組みを携帯電話機に組み込むことが望まれる。例えば、特許文献２に記載されている携帯電話機は、バックライトを消灯するまでの所定時間を使用者が設定可能であるように構成されている。
【０００４】
【特許文献１】特開２０００−１０６５９８号公報（段落０００４−０００５）
【特許文献２】特開２００４−２３４９６号公報（段落００３３、図３）
【発明の開示】
【発明が解決しようとする課題】
【０００５】
バックライトを消灯するまでの所定時間を使用者が設定可能であるように携帯電話機を構成すれば、使用者が適正な設定を行った場合には、突然、バックライトが消灯する状況は発生しない。しかし、使用者が適正な設定を行わない場合には、やはり、突然、バックライトが消灯するような状況は発生する。また、バックライトを消灯させるまでの適正な時間は、常に同じではなく、使用者の事情によって変わるものである。従って、使用者は、バックライトを消灯するまでの所定時間を変更する操作を頻繁に行う必要があり、バックライトが突然消灯してしまうという不便は解消できても、新たな不便が生じてしまう。さらに、使用者が、バックライトを消灯するまでの所定時間を過度に長く設定した場合には、消費電力の節減という効果が薄れてしまう。
【０００６】
そこで、本発明は、消費電力の節減という効果を確実に維持できる上に、新たな不便さを発生させることなく、バックライトが突然消灯してしまうという不便を解消できる携帯端末装置および表示装置制御方法を提供することを目的とする。
【課題を解決するための手段】
【０００７】
本発明による携帯端末装置は、携帯端末装置の筐体の温度の変化を検出する温度検出手段と、温度検出手段の検出信号にもとづいて筐体の温度変化を検出した場合にバックライトを点灯させ、温度検出手段の検出信号にもとづいて逆方向の温度変化（上記の温度変化が温度上昇であれば温度低下、上記の温度変化が温度低下であれば温度上昇）を検出した場合にバックライトを消灯させる点灯制御手段とを備えたことを特徴とする。
【０００８】
温度検出手段としての温度検出素子が、筐体の内部における筐体のケースの近傍であって、筐体の背面側の中央部に設置されていることが好ましい。
【０００９】
点灯制御手段は、温度検出手段の検出信号にもとづいて筐体の温度変化を検出した場合に表示装置を点灯状態にさせ、温度検出手段の検出信号にもとづいて逆方向の温度変化を検出した場合に表示装置を消灯状態にさせることが好ましい。
【００１０】
複数の温度検出素子が設けられ、点灯制御手段が、１つ以上の温度検出素子の検出信号にもとづいて筐体の温度変化を検出した場合にバックライトを点灯させ、１つ以上の温度検出素子の検出信号にもとづいて温度変化と逆方向の温度変化を検出した場合にバックライトを消灯させるように構成されていてもよい。この場合にも、点灯制御手段は、バックライトの点灯／消灯に同期させて、表示装置を点灯状態／消灯状態に制御するようにしてもよい。
【００１１】
温度検出手段が、比較用の温度検出素子を含み、点灯制御手段が、温度検出素子の検出信号が示す温度と比較用の温度検出素子の検出信号が示す温度との差にもとづいて温度変化を検出するように構成されていてもよい。
【００１２】
温度検出手段が、第１の温度検出手段と第２の温度検出手段とを含み、点灯制御手段が、第１の温度検出手段の検出信号にもとづいて筐体の温度変化を検出した場合にバックライトを点灯させ、第１の温度検出手段の検出信号にもとづいて逆方向の温度変化を検出した場合にバックライトを消灯させ、第２の温度検出手段の検出信号にもとづいて筐体の温度変化を検出した場合に表示装置を点灯状態にさせ、第２の温度検出手段の検出信号にもとづいて逆方向の温度変化を検出した場合に表示装置を消灯状態にさせるように構成されていてもよい。
【００１３】
本発明による表示装置制御方法は、バックライトが付随する表示装置を備えた携帯端末装置におけるバックライトおよび表示装置の点灯および消灯の制御を行う方法であって、携帯端末装置の筐体の温度の変化を検出し、筐体の温度変化を検出した場合にバックライトおよび表示装置を点灯させ、逆方向の温度変化を検出した場合にバックライトおよび表示装置を消灯させることを特徴とする。
【発明の効果】
【００１４】
本発明によれば、消費電力の節減という効果を確実に維持できる上に、新たな不便さを発生させることなく、バックライトが突然消灯してしまうという不便を解消することができる。
【発明を実施するための最良の形態】
【００１５】
実施の形態１．
以下、本発明の第１の実施の形態を図面を参照して説明する。図１は、本発明による携帯端末装置の一例である携帯電話機を示す正面図（ａ）および背面図（ｂ）である。図１に示す携帯電話機は、上部筐体１と下部筐体２とがヒンジ部１０の回転によって折り畳まれることが可能な折り畳み式の携帯電話機であり、図１には、携帯電話機が開かれた状態（折り畳まれていない状態）が示されている。
【００１６】
上部筐体１の正面側（使用の際に使用者が見る側）には、液晶表示パネル３と、液晶表示パネル３を照光するバックライト４とが設けられている。また、液晶表示パネル３の上側には、スピーカ５が設けられている。上部筐体１の背面側には、アンテナ６と、着信時の相手電話番号等が表示される第２表示部７と、着信音等を放音する第２スピーカ８が設けられている。
【００１７】
下部筐体２の正面側（使用の際に使用者が見る側）には、テンキー、電源キーおよび通話キーを含むキー操作部１１と、キー操作部１１を照光するバックライト１２と、マクロフォン１３とが設けられている。さらに、キー操作部１１の上側に、各種の設定等を行うときに使用される複数の操作キーが設けられている。下部筐体２の背面側の筐体内部には、温度検出手段（温度検出素子）としての半導体温度センサ２１が設けられている。半導体温度センサとして、−５０〜＋１００℃の検出温度域において線形変化する検出信号としてのアナログ電圧を出力するものが知られている（例えば、ナショナルセミコンダクター社のＬＭ２０など）。この実施の形態では、そのような半導体温度センサを用いることができる。
【００１８】
図２は、半導体温度センサ（以下、温度センサという。）２１の設置例を示す断面図である。図２に示す例では、温度センサ２１がプリント基板２６上に載置され、温度センサ２１を載置したプリント基板２６は、下部筐体２の内部において、下部筐体２を形成する合成樹脂製のケースの背面側の近傍に設置されている。下部筐体２の内部において、断熱材２７が設けられ、温度センサ２１を載置したプリント基板２６は、下部筐体２を形成するケースと断熱材２７とが形成する閉じた空間内に置かれている。なお、下部筐体２の内部において、ケースと断熱材２７とが形成する閉じた空間の外部に、携帯電話機の電気回路が設置されている。また、温度センサ２１は、ケースに接していてもよい。また、温度センサ２１は、下部筐体２の内部において、発熱量が多いＣＰＵ、ＤＳＰ、無線回路、電源回路などから、できるだけ離れて設置されていることが好ましい。
【００１９】
すなわち、温度センサ２１は、携帯電話機の電気回路の発熱の影響を受けないように、携帯電話機の電気回路と隔離されている。ただし、断熱材２７の一部に孔が設けられ、温度センサ２１に対する駆動信号および温度センサ２１の検出信号を伝達するためのケーブル２８が、孔を通過して、プリント基板２６と電気回路との間に配線されている。断熱材２７として、例えば、厚さ１００μｍ程度のＰＥＴ（ポリエチレンテレフタレート）や発泡ＰＥＴを使用可能である。なお、断熱材２７に設けられている孔は、ケーブル２８が孔を通過して配線された後に塞がれることが好ましい。また、断熱材２７は、例えば、合成樹脂を接着可能な接着剤でケースに接着される。
【００２０】
図３は、携帯電話機における電気部品（液晶表示パネル３や第２表示部７など）および電気回路の構成例を、温度センサ２１とともに示すブロック図である。図３に示す例では、音声信号およびデータ信号などに関する変復調や周波数変換処理等を行う無線部３２がアンテナ６を介して無線信号を受信するとともに、アンテナ６を介して無線信号を送信する。なお、無線信号は、アンテナ６を介して、基地局（図示せず）との間で送受信される。
【００２１】
制御部３１は、例えば、記憶部（図示せず）に記憶されているプログラムに従って動作するＣＰＵ（Central Processing Unit ）等で実現される。制御部３１は、使用者がキー操作部１１に対して行った入力操作や着信に応じて、入力操作に応じた情報や記憶部に記憶されている情報を液晶表示パネル３または第２表示部７に表示させる。また、着信時や、キー操作部１１に対して楽音出力を生じさせるための使用者の操作がなされたときには、あらかじめ記憶部に記憶されている楽音データを第２スピーカ８に出力して、第２スピーカ８に楽音を出力させる。
【００２２】
音声処理部３３は、通話時における無線部３２から出力された音声データ、または記憶部に記憶されている音声データを、アナログ信号に変換してスピーカ５に主力する。スピーカ５は、音声処理部３３からの音声信号にもとづいて音声出力を行う。また、音声処理部３３は、マイクロフォン１３に入力された音声信号をディジタル信号（音声データ）に変換して、無線部３２に出力する。
【００２３】
さらに、制御部３１は、点灯条件が成立したときに、液晶表示パネル３を照光するバックライト４およびキー操作部１１を照光するバックライト１２を点灯させる。また、消灯条件が成立したときに、液晶表示パネル３を照光するバックライト４およびキー操作部１１を照光するバックライト１２を消灯させる。液晶表示パネル３には、表示素子の他に駆動回路も組み込まれている。また、バックライト４，１２等を駆動するための駆動回路は記載省略されている。
【００２４】
温度センサ２１の検出信号（アナログ信号）は、Ａ−Ｄ変換器３４に入力される。Ａ−Ｄ変換器３４は、温度センサ２１の検出信号をディジタル信号に変換して制御部３１に出力する。
【００２５】
図４は、使用者が携帯電話機を使用するときに使用者の手の位置の一例を示す説明図である。図４に示すように、一般に、使用者は、携帯電話機を使用するときに片手で下部筐体２を握る。図４（ａ）は、下部筐体２の正面側を示し、図４（ｂ）は下部筐体２の背面側を示す。ただし、図４（ａ）には、下部筐体２の正面側に存在するもののうちキー操作部１１のみが示されている。
【００２６】
この実施の形態の携帯電話機は、使用者が電源キーを押下すると、電気部品や電気回路が給電される状態になるが、電気回路における制御部３１は、一般的な携帯電話機とは異なり、液晶表示パネル３、バックライト４，１２を点灯状態にしない。ただし、制御部３１は、第２表示部７を点灯状態（情報を表示する状態）にすることが好ましい。
【００２７】
また、温度センサ２１は、下部筐体２の内部においてケースの背面側の近傍に設置されているのであるが、ケースの背面において、温度センサ２１が最も近接する位置は、使用者が下部筐体２を握ったときに手のひらがその位置に当たるように、例えば、背面における中央部である。
【００２８】
図４に示すように、使用者が下部筐体２を握ると、携帯電話機が存在する環境の気温が、使用者の体温よりも低い場合には、下部筐体２のケースにおいて、まず、使用者に握られた部分の温度が上昇する。下部筐体２のケースの温度が上昇すると、温度センサ２１の検出温度も上昇する。よって、制御部３１は、Ａ−Ｄ変換器３４を介して入力される検出信号（ディジタル信号）によって、下部筐体２のケースの温度が上昇したことを認識できる。使用者が下部筐体２を握ったことに起因してケースの温度が上昇した後、使用者が下部筐体２を手放した場合には、下部筐体２のケースにおいて、使用者に握られていた部分の温度が低下する。その場合、制御部３１は、Ａ−Ｄ変換器３４を介して入力される検出信号によって、下部筐体２のケースの温度が低下したことを認識し、その結果、使用者が下部筐体２を手放したことを認識できる。
【００２９】
また、気温が極めて高い環境下で携帯電話機が使用される場合など、携帯電話機が存在する環境の気温が、使用者の体温よりも高い場合には、下部筐体２のケースにおいて、使用者に握られた部分の温度が低下する。その場合、制御部３１は、Ａ−Ｄ変換器３４を介して入力される検出信号によって、下部筐体２のケースの温度が低下したことを認識できる。使用者が下部筐体２を握ったことに起因してケースの温度が低下した後、使用者が下部筐体２を手放した場合には、下部筐体２のケースにおいて、使用者に握られていた部分の温度が上昇する。その場合、制御部３１は、Ａ−Ｄ変換器３４を介して入力される検出信号によって、下部筐体２のケースの温度が上昇したことを認識し、その結果、使用者が下部筐体２を手放したことを認識できる。
【００３０】
次に、図５のフローチャートを参照して制御部３１の液晶表示パネル３およびバックライト４，１２の点灯／消灯制御について説明する。制御部３１は、Ａ−Ｄ変換器３４を介して、温度センサ２１からの検出信号を入力し、検出信号が示す温度を記憶部に記憶する（ステップＳ１１）。次いで、温度変化を検出するための検出タイマをスタートさせる（ステップＳ１２）。検出タイマがＴ秒を計時してタイムアップすると（ステップＳ１３）、制御部３１は、再度、Ａ−Ｄ変換器３４を介して、温度センサ２１からの検出信号を入力する（ステップＳ１４）。そして、入力した検出信号が示す温度と、記憶部に記憶されている温度とを比較する（ステップＳ１５）。それらの温度差がｔ℃以上であれば、制御部３１は、使用者が下部筐体２を握って下部筐体２のケースの温度が変化したと認識し（ステップＳ１６）、液晶表示パネル３を点灯状態（情報を画面表示する状態）にするとともに（ステップＳ１７）、バックライト４，１２を点灯させる（ステップＳ１８）。
【００３１】
なお、制御部３１は、液晶表示パネル３を点灯状態にする場合に、例えば待ち受け画面のデータを液晶表示パネル３に出力して、液晶表示パネル３に待ち受け画面を表示させる。また、温度差がｔ℃以上でなければ、制御部３１は、再びステップＳ１１からの処理を繰り返す。
【００３２】
検出タイマの計時時間Ｔおよび判定のための温度差ｔは、下部筐体２のケースの熱伝導度や温度センサ２１とケースとの間の距離等に応じて機種毎に定められる数値であるが、一例として、Ｔ＝１秒、ｔ＝１℃である。
【００３３】
その後、制御部３１は、Ａ−Ｄ変換器３４を介して、温度センサ２１からの検出信号を入力し、検出信号が示す温度を記憶部に記憶し（ステップＳ２１）、検出タイマをスタートさせる（ステップＳ２２）。検出タイマがＴ秒を計時してタイムアップすると（ステップＳ３３）、制御部３１は、再度、Ａ−Ｄ変換器３４を介して、温度センサ２１からの検出信号を入力する（ステップＳ３４）。そして、入力した検出信号が示す温度と、記憶部に記憶されている温度とを比較する（ステップＳ３５）。それらの温度差がｔ℃以上であれば、制御部３１は、使用者が下部筐体２を手放して下部筐体２のケースの温度が変化したと認識し（ステップＳ３６）、液晶表示パネル３を消灯状態にするとともに（ステップＳ３７）、バックライト４，１２を消灯させる（ステップＳ３８）。温度差がｔ℃以上でなければ、制御部３１は、再びステップＳ２１からの処理を繰り返す。
【００３４】
なお、ステップＳ１６において温度差が正の値であった場合、すなわち温度上昇を検出した場合には、ステップＳ３６において、温度差が負の値、すなわち温度低下を検出したときに、制御部３１は、下部筐体２のケースの温度が変化したと認識する。逆に、ステップＳ１６において温度差が負の値であった場合、すなわち温度低下を検出した場合には、ステップＳ３６において、温度差が正の値、すなわち温度上昇を検出したときに、制御部３１は、下部筐体２のケースの温度が変化したと認識する。
【００３５】
また、この実施の形態では、ステップＳ３７において、制御部３１は、液晶表示パネル３を消灯状態にするが、ステップＳ３７の処理をせず、バックライト４，１２を消灯させるステップＳ３８の処理のみを実行するようにしてもよい。また、ステップＳ３７において、制御部３１は、携帯電話機の電源をオフ状態にするようにしてもよい。
【００３６】
また、図５のフローチャートに示された温度変化の検出の仕方は一例であって、別の検出方法で、携帯電話機の筐体の温度変化を検出するようにしてもよい。
【００３７】
以上に説明したように、この実施の形態では、制御部３１が、使用者が携帯電話機を手に持ったときに自動的に液晶表示パネル３およびバックライト４，１２を点灯し、使用者が携帯電話機を離したときに自動的に液晶表示パネル３およびバックライト４，１２を消灯するので、消費電力の節減という効果を確実に維持できる上に、バックライトが突然消灯してしまうという不便を解消できる。
【００３８】
実施の形態２．
上記の実施の形態では、温度センサ２１が１つ設けられていたが、温度センサ２１の他に、比較用の温度センサを設けてもよい。図６は、比較用の温度センサ２５が設けられた第２の実施の形態の携帯電話機を示す正面図（ａ）および背面図（ｂ）である。
【００３９】
図６に示す携帯電話機は、図１に示された携帯電話機に対して、比較用の温度センサ２５が追加された構成である。図６に示す例では、温度センサ２５は、下部筐体２の背面側の筐体内部において、ヒンジ部１０の近傍に設けられているが、一般に、使用者の手が携帯電話機の使用の際に接触する可能性が低い箇所であれば、下部筐体２の背面側の筐体内部において、ヒンジ部１０の近傍以外の箇所に設けられていてもよい。また、下部筐体２にではなく、上部筐体１の筐体内部に設けられていてもよい。温度センサ２５も、温度センサ２１と同様に、携帯電話機の電気回路の発熱の影響を受けないように、断熱材によって携帯電話機の電気回路と隔離される。
【００４０】
携帯電話機における電気回路の構成は、図３に示された構成と同様であるが、この実施の形態では、図３に示された構成に対して、温度センサ２５の検出信号をディジタル信号に変換して制御部３１に出力するＡ−Ｄ変換器が追加される。
【００４１】
次に、図７のフローチャートを参照して制御部３１の液晶表示パネル３およびバックライト４，１２の点灯／消灯制御について説明する。制御部３１は、まず、温度変化を検出するための検出タイマをスタートさせる（ステップＳ３１）。検出タイマがＴ秒を計時してタイムアップすると（ステップＳ３２）、制御部３１は、Ａ−Ｄ変換器３４を介して、温度センサ２１からの検出信号を入力する（ステップＳ３３）。また、Ａ−Ｄ変換器を介して、比較用の温度センサ２５からの検出信号を入力する（ステップＳ３４）。そして、入力した２つの検出信号が示す温度を比較する（ステップＳ３５）。それらの温度差がｔ℃以上であれば、制御部３１は、使用者が下部筐体２を握って下部筐体２のケースの温度が変化したと認識し（ステップＳ３６）、液晶表示パネル３を点灯状態にするとともに（ステップＳ３７）、バックライト４，１２を点灯させる（ステップＳ３８）。
【００４２】
温度差がｔ℃以上でなければ、制御部３１は、再びステップＳ３１からの処理を繰り返す。検出タイマの計時時間Ｔおよび判定のための温度差ｔは、下部筐体２のケースの熱伝導度や温度センサ２１とケースとの間の距離等に応じて機種毎に定められる数値であるが、一例として、Ｔ＝１秒、ｔ＝１℃である。
【００４３】
比較用の温度センサ２５は、使用者が携帯電話機を使用するときに使用者の手が触れる可能性が低い箇所に設けられているので、使用者が携帯電話機を握っても温度変化を検出しない。一方、温度センサ２１は、使用者が携帯電話機を握ると、第１の実施の形態の場合と同様に、温度変化を検出する。従って、制御部３１は、ステップＳ３６の判断によって、使用者が携帯電話機を握ったか否か判断することができる。
【００４４】
その後、制御部３１は、検出タイマをスタートさせる（ステップＳ４１）。検出タイマがＴ秒を計時してタイムアップすると（ステップＳ４２）、制御部３１は、Ａ−Ｄ変換器３４を介して、温度センサ２１からの検出信号を入力する（ステップＳ４３）。また、Ａ−Ｄ変換器を介して、温度センサ２５からの検出信号を入力する（ステップＳ４４）。そして、入力した２つの検出信号が示す温度を比較する（ステップＳ４５）。それらの温度差がｔ℃以上であれば、制御部３１は、使用者が下部筐体２を手放して下部筐体２のケースの温度が変化したと認識し（ステップＳ４６）、液晶表示パネル３を消灯状態にするとともに（ステップＳ４７）、バックライト４，１２を消灯させる（ステップＳ４８）。温度差がｔ℃以上でなければ、制御部３１は、再びステップＳ４１からの処理を繰り返す。
【００４５】
なお、ステップＳ３６において温度センサ２１からの検出信号が示す温度の方が高かった場合、すなわち温度上昇を検出した場合には、ステップＳ４６において、温度センサ２１からの検出信号が示す温度の方が低かったとき、すなわち温度低下を検出したときに、制御部３１は、下部筐体２のケースの温度が変化したと認識する。逆に、ステップＳ３６において温度センサ２１からの検出信号が示す温度の方が低かった場合、すなわち温度低下を検出した場合には、ステップＳ４６において、温度センサ２１からの検出信号が示す温度の方が高かったとき、すなわち温度上昇を検出したときに、制御部３１は、下部筐体２のケースの温度が変化したと認識する。
【００４６】
この実施の形態でも、制御部３１が、使用者が携帯電話機を手に持ったときに自動的に液晶表示パネル３およびバックライト４，１２を点灯し、使用者が携帯電話機を離したときに自動的に液晶表示パネル３およびバックライト４，１２を消灯するので、消費電力の節減という効果を確実に維持できる上に、バックライトが突然消灯してしまうという不便を解消できる。また、比較用の温度センサ２５が設けられているので、１つの温度センサ２１が設けられている場合に比べて、温度上昇または温度低下の誤検出の可能性を低減できる。さらに、温度センサ２１の検出信号が示す温度と温度センサ２５の検出信号が示す温度との差を比較するので、携帯電話機の筐体の全体的な温度が変化した場合でも、ステップＳ４６の判断において精度よく使用者が下部筐体２を手放したことを認識できる。
【００４７】
実施の形態３．
上記の各実施の形態では、温度センサ２１が１つ設けられていたが、温度センサ２１と同じ役割を果たす温度センサを複数設けてもよい。図８は、複数の温度センサ２１，２２，２４，２４が設けられた第３の実施の形態の携帯電話機を示す正面図（ａ）および背面図（ｂ）である。
【００４８】
図８に示す携帯電話機は、図１に示された携帯電話機に対して、温度センサ２２〜２４が追加された構成である。ただし、温度センサ２１の設置位置は、第１の実施の形態の場合とは異なる。図８に示す例では、温度センサ２１〜２４は、下部筐体２の内部においてケースの背面側の近傍に設置されているのであるが、ケースの背面において、温度センサ２１〜２４が最も近接する位置は、使用者が下部筐体２を握ったときに手のひらがその位置に当たるように、例えば、背面における中央部の近傍である。温度センサ２１〜２４は、第１の実施の形態における温度センサ２１と同様に、携帯電話機の電気回路の発熱の影響を受けないように、断熱材によって携帯電話機の電気回路と隔離される（図２参照）。
【００４９】
携帯電話機における電気回路の構成は、図３に示された構成と同様であるが、この実施の形態では、図３に示された構成に対して、温度センサ２２〜２４の検出信号をディジタル信号に変換して制御部３１に出力する３つのＡ−Ｄ変換器が追加される。
【００５０】
次に、図９のフローチャートを参照して制御部３１の液晶表示パネル３およびバックライト４，１２の点灯／消灯制御について説明する。制御部３１は、各Ａ−Ｄ変換器を介して、温度センサ２１〜２４からの検出信号を入力し、検出信号が示す温度を記憶部に記憶する（ステップＳ５１）。次いで、温度変化を検出するための検出タイマをスタートさせる（ステップＳ５２）。検出タイマがＴ秒を計時してタイムアップすると（ステップＳ５３）、制御部３１は、再度、各Ａ−Ｄ変換器を介して、温度センサ２１〜２４からの検出信号を入力する（ステップＳ５４）。そして、入力した各検出信号が示す温度と、記憶部に記憶されている温度とを比較する（ステップＳ５５）。それらの温度差がｔ℃以上であれば、制御部３１は、使用者が下部筐体２を握って下部筐体２のケースの温度が変化したと認識し（ステップＳ５６）、液晶表示パネル３を点灯状態にするとともに（ステップＳ５７）、バックライト４，１２を点灯させる（ステップＳ５８）。温度差がｔ℃以上でなければ、制御部３１は、再びステップＳ５１からの処理を繰り返す。
【００５１】
なお、ステップＳ５５では、制御部３１は、入力した各検出信号が示す温度を、記憶部に記憶されている対応する温度と比較する。温度センサ２１〜２４のそれぞれからの検出信号が示す温度に対応する温度は、ステップＳ５１において記憶された温度センサ２１〜２４のそれぞれからの検出信号が示す温度である。
【００５２】
また、ステップＳ５６では、いずれか１つの検出信号について温度差がｔ℃以上であれば、制御部３１は、使用者が下部筐体２を握って下部筐体２のケースの温度が変化したと認識する。しかし、４つの検出信号のうちの複数（２、３または４）の検出信号について温度差がｔ℃以上である場合に、制御部３１は、使用者が下部筐体２を握って下部筐体２のケースの温度が変化したと認識するようにしてもよい。
【００５３】
その後、制御部３１は、各Ａ−Ｄ変換器を介して、温度センサ２１〜２４のうち、ステップＳ５６で温度差が検出された検出信号を出力した温度センサからの検出信号を入力し、検出信号が示す温度を記憶部に記憶し（ステップＳ６１）、検出タイマをスタートさせる（ステップＳ６２）。検出タイマがＴ秒を計時してタイムアップすると（ステップＳ６３）、制御部３１は、再度、各Ａ−Ｄ変換器を介して、ステップＳ５６で温度差が検出された検出信号を出力した温度センサからの検出信号を入力する（ステップＳ６４）。そして、入力した検出信号が示す温度と、記憶部に記憶されている温度とを比較する（ステップＳ６５）。それらの温度差がｔ℃以上であれば、制御部３１は、使用者が下部筐体２を手放して下部筐体２のケースの温度が変化したと認識し（ステップＳ６６）、液晶表示パネル３を消灯状態にするとともに（ステップＳ６７）、バックライト４，１２を消灯させる（ステップＳ６８）。温度差がｔ℃以上でなければ、制御部３１は、再びステップＳ６１からの処理を繰り返す。
【００５４】
なお、ステップＳ６５でも、制御部３１は、入力した各検出信号が示す温度を、記憶部に記憶されている対応する温度と比較する。それぞれの温度センサからの検出信号が示す温度に対応する温度とは、ステップＳ６１において記憶されたそれぞれの温度センサからの検出信号が示す温度である。
【００５５】
また、ステップＳ６４で複数の温度センサからの検出信号を入力した場合（すなわち、ステップＳ５６において複数の検出信号について温度差がｔ℃以上であるときに、制御部３１は、使用者が下部筐体２を握って下部筐体２のケースの温度が変化したと認識した場合）には、ステップＳ６６では、いずれか１つの検出信号について温度差がｔ℃以上であれば、制御部３１は、使用者が下部筐体２を手放して下部筐体２のケースの温度が変化したと認識する。しかし、複数の検出信号について温度差がｔ℃以上である場合に、制御部３１は、使用者が下部筐体２を手放して下部筐体２のケースの温度が変化したと認識するようにしてもよい。
【００５６】
また、ステップＳ５６において温度差が正の値であった場合、すなわち温度上昇を検出した場合には、ステップＳ６６において、温度差が負の値、すなわち温度低下を検出したときに、制御部３１は、下部筐体２のケースの温度が変化したと認識する。逆に、ステップＳ５６において温度差が負の値であった場合、すなわち温度低下を検出した場合には、ステップＳ６６において、温度差が正の値、すなわち温度上昇を検出したときに、制御部３１は、下部筐体２のケースの温度が変化したと認識する。
【００５７】
この実施の形態でも、制御部３１が、使用者が携帯電話機を手に持ったときに自動的に液晶表示パネル３およびバックライト４，１２を点灯し、使用者が携帯電話機を離したときに自動的に液晶表示パネル３およびバックライト４，１２を消灯するので、消費電力の節減という効果を確実に維持できる上に、バックライトが突然消灯してしまうという不便を解消できる。また、複数の温度センサ２１〜２４が異なる位置に設けられているので、使用者が下部筐体２を握ったか否かの検出精度を高めることができる。
【００５８】
また、この実施の形態では、４つの温度センサ２１〜２４が設けられているが、温度センサの個数は４つに限られず、温度センサは２つ以上設けられていれば、第１の実施の形態に比べて、使用者が下部筐体２を握ったか否かの検出精度を高めることができる。
【００５９】
実施の形態４．
第３の実施の形態では、４つの温度センサ２１〜２４が１つ設けられていたが、温度センサ２１〜２４の他に、比較用の温度センサを設けてもよい。図１０は、比較用の温度センサ２５が設けられた第４の実施の形態の携帯電話機を示す正面図（ａ）および背面図（ｂ）である。
【００６０】
図１０に示す携帯電話機は、図８に示された携帯電話機に対して、比較用の温度センサ２５が追加された構成である。図１０に示す例では、温度センサ２５は、下部筐体２の背面側の筐体内部において、ヒンジ部１０の近傍に設けられているが、一般に、使用者の手が携帯電話機の使用の際に接触する可能性が低い箇所であれば、下部筐体２の背面側の筐体内部において、ヒンジ部１０の近傍以外の箇所に設けられていてもよい。また、下部筐体２にではなく、上部筐体１の筐体内部に設けられていてもよい。
【００６１】
携帯電話機における電気回路の構成は、図３に示された構成と同様であるが、この実施の形態では、図３に示された構成に対して、温度センサ２２〜２４および温度センサ２５の検出信号をディジタル信号に変換して制御部３１に出力するＡ−Ｄ変換器が追加される。
【００６２】
次に、図１１のフローチャートを参照して制御部３１の液晶表示パネル３およびバックライト４，１２の点灯／消灯制御について説明する。制御部３１は、まず、温度変化を検出するための検出タイマをスタートさせる（ステップＳ７１）。検出タイマがＴ秒を計時してタイムアップすると（ステップＳ７２）、制御部３１は、各Ａ−Ｄ変換器を介して、温度センサ２１〜２４からの検出信号を入力する（ステップＳ７３）。また、Ａ−Ｄ変換器を介して、比較用の温度センサ２５からの検出信号を入力する（ステップＳ７４）。そして、温度センサ２１〜２４の検出信号が示す温度と温度センサ２５の検出信号が示す温度とを比較する（ステップＳ７５）。それらの温度差がｔ℃以上であれば、制御部３１は、使用者が下部筐体２を握って下部筐体２のケースの温度が変化したと認識し（ステップＳ７６）、液晶表示パネル３を点灯状態にするとともに（ステップＳ７７）、バックライト４，１２を点灯させる（ステップＳ７８）。
【００６３】
温度差がｔ℃以上でなければ、制御部３１は、再びステップＳ７１からの処理を繰り返す。検出タイマの計時時間Ｔおよび判定のための温度差ｔは、下部筐体２のケースの熱伝導度や温度センサ２１とケースとの間の距離等に応じて機種毎に定められる数値であるが、一例として、Ｔ＝１秒、ｔ＝１℃である。
【００６４】
なお、ステップＳ７６では、温度センサ２１〜２４の検出信号が示す温度のうち、いずれか１つの検出信号について温度差がｔ℃以上であれば、制御部３１は、使用者が下部筐体２を握って下部筐体２のケースの温度が変化したと認識する。しかし、４つの検出信号のうちの複数（２、３または４）の検出信号について温度差がｔ℃以上である場合に、制御部３１は、使用者が下部筐体２を握って下部筐体２のケースの温度が変化したと認識するようにしてもよい。
【００６５】
その後、制御部３１は、検出タイマをスタートさせる（ステップＳ８１）。検出タイマがＴ秒を計時してタイムアップすると（ステップＳ８２）、制御部３１は、各Ａ−Ｄ変換器を介して、温度センサ２１〜２４のうち、ステップＳ７６で相違が検出された検出信号を出力した温度センサからの検出信号を入力する（ステップＳ８３）。また、Ａ−Ｄ変換器を介して、温度センサ２５からの検出信号を入力する（ステップＳ８４）。そして、ステップＳ８３で入力した温度センサの検出信号が示す温度と温度センサ２５の検出信号が示す温度とを比較する（ステップＳ８５）。それらの温度差がｔ℃以上であれば、制御部３１は、使用者が下部筐体２を手放して下部筐体２のケースの温度が変化したと認識し（ステップＳ８６）、液晶表示パネル３を消灯状態にするとともに（ステップＳ８７）、バックライト４，１２を消灯させる（ステップＳ８８）。温度差がｔ℃以上でなければ、制御部３１は、再びステップＳ８１からの処理を繰り返す。
【００６６】
なお、ステップＳ８３で複数の温度センサの検出信号を入力した場合には、ステップＳ８６では、複数の温度センサの検出信号が示す温度のうち、いずれか１つの検出信号について温度差がｔ℃以上であれば、制御部３１は、使用者が下部筐体２を手放して下部筐体２のケースの温度が変化したと認識する。しかし、複数の検出信号について温度差がｔ℃以上である場合に、制御部３１は、使用者が下部筐体２を手放して下部筐体２のケースの温度が変化したと認識するようにしてもよい。
【００６７】
また、ステップＳ７６において温度センサ２１〜２４からの検出信号が示す温度の方が高かった場合、すなわち温度上昇を検出した場合には、ステップＳ８６において、温度センサ２１〜２４からの検出信号が示す温度の方が低かったとき、すなわち温度低下を検出したときに、制御部３１は、下部筐体２のケースの温度が変化したと認識する。逆に、ステップＳ７６において温度センサ２１〜２４からの検出信号が示す温度の方が低かった場合、すなわち温度低下を検出した場合には、ステップＳ４６において、温度センサ２１〜２４からの検出信号が示す温度の方が高かったとき、すなわち温度上昇を検出したときに、制御部３１は、下部筐体２のケースの温度が変化したと認識する。
【００６８】
この実施の形態でも、制御部３１が、使用者が携帯電話機を手に持ったときに自動的に液晶表示パネル３およびバックライト４，１２を点灯し、使用者が携帯電話機を離したときに自動的に液晶表示パネル３およびバックライト４，１２を消灯するので、消費電力の節減という効果を確実に維持できる上に、バックライトが突然消灯してしまうという不便を解消できる。また、比較用の温度センサ２５が設けられているので、温度センサ２１〜２４のみが設けられている第３の実施の形態に比べて、温度上昇または温度低下の誤検出の可能性をさらに低減できる。
【００６９】
実施の形態５．
複数の温度センサ２１〜２４を設けた場合に（図８参照）、温度センサ２１〜２４のうちのいずれか１つ以上を液晶表示パネル３の点灯状態／消灯状態を制御するために用いられる温度センサとし、他の温度センサをバックライト４，１２（またはバックライト４のみ）の点灯／消灯を制御するための温度センサとしてもよい。例えば、点灯制御手段としての制御部３１は、第１の温度検出手段としての温度センサ２１，２２の検出信号にもとづいて携帯電話機の筐体の温度変化を検出した場合にはバックライト４，１２の点灯／消灯を制御し、第２の温度検出手段としての温度センサ２３，２４の検出信号にもとづいて携帯電話機の筐体の温度変化を検出した場合には液晶表示パネル３の点灯状態／消灯状態を制御する。点灯／消灯の制御の仕方は第１〜第４の実施の形態の場合と同様である（図９等参照）。
【００７０】
そのように構成した場合には、携帯電話機の使用者が、筐体における温度センサ２３，２４が設けられている部分に触れた場合に液晶表示パネル３を点灯状態にさせ、筐体における温度センサ２１，２２が設けられている部分に触れた場合にバックライト４，１２を点灯させることができる。また、携帯電話機の使用者が、筐体における温度センサ２３，２４が設けられている部分を離した場合に液晶表示パネル３を消灯状態にさせ、筐体における温度センサ２１，２２が設けられている部分を離した場合にバックライト４，１２を消灯させることができる。すなわち、液晶表示パネル３の点灯状態／消灯状態と、バックライト４，１２の点灯／消灯とを独立して制御することができる。ここでは、４つの温度センサ２１〜２４が設けられている場合について説明したが、温度センサは２つ以上設けられていればよい。
【００７１】
なお、上記の各実施の形態における温度センサの設置位置は一例であって、使用者が携帯電話機を手に持ったことを温度によって検出できる位置であれば、上記の各実施の形態において例示された位置に限られない。また、温度センサとして半導体温度センサを用いる場合について説明したが、使用可能な温度センサは、半導体温度センサに限られない。
【００７２】
また、上記の各実施の形態では、折り畳み型の携帯電話機を例にしたが、一体型の携帯電話機に対して本発明を適用することができる。さらに、携帯端末装置として携帯電話機を例にしたが、本発明を適用可能な携帯端末装置は携帯電話機に限られず、使用者が手に持って使用する端末であれば本発明を適用することができる。
【産業上の利用可能性】
【００７３】
本発明は、液晶表示パネルを含む表示部を備えた携帯電話機などの携帯端末装置に適用される。
【図面の簡単な説明】
【００７４】
【図１】本発明による携帯電話機の第１の実施の形態を示す正面図（ａ）および背面図（ｂ）である。
【図２】温度センサの設置例を示す断面図である。
【図３】携帯電話機における電気回路の構成例を示すブロック図である。
【図４】使用者が携帯電話機を使用するときに使用者の手の位置の一例を示す説明図である。
【図５】第１の実施の形態における制御部の動作を示すフローチャートである。
【図６】本発明による携帯電話機の第２の実施の形態を示す正面図（ａ）および背面図（ｂ）である。
【図７】第２の実施の形態における制御部の動作を示すフローチャートである。
【図８】本発明による携帯電話機の第３の実施の形態を示す正面図（ａ）および背面図（ｂ）である。
【図９】第３の実施の形態における制御部の動作を示すフローチャートである。
【図１０】本発明による携帯電話機の第４の実施の形態を示す正面図（ａ）および背面図（ｂ）である。
【図１１】第４の実施の形態における制御部の動作を示すフローチャートである。
【符号の説明】
【００７５】
１    上部筐体
２    下部筐体
３    液晶表示パネル
４    バックライト
５    スピーカ
６    アンテナ
７    第２表示部
８    第２スピーカ
１０  ヒンジ部
１１  キー操作部
１２  バックライト
１３  マイクロフォン
２１〜２４  温度センサ
２５  比較用の温度センサ
【図１】
2006091222.tif 000003
【図２】
2006091222.tif 000004
【図３】
2006091222.tif 000005
【図４】
2006091222.tif 000006
【図５】
2006091222.tif 000007
【図６】
2006091222.tif 000008
【図７】
2006091222.tif 000009
【図８】
2006091222.tif 000010
【図９】
2006091222.tif 000011
【図１０】
2006091222.tif 000012
【図１１】
2006091222.tif 000013